(57)【要約】【課題】  テストターミナルの操作禁止表示を行う際の作業性を向上することができる操作禁止表示用ユニットを提供する。【解決手段】  配電盤１に設けられた複数のテストターミナル２の中で操作禁止対象となるテストターミナル２の周囲を覆うように取り付けられてテストターミナル２を保護する保護カバー２０と、保護カバー２０の内部に設置され且つその設置された状態で保護カバー２０と共にテストターミナル２に取り付けられてテストターミナル２の操作禁止を表示する操作禁止表示プレート３０とを有する操作禁止表示用ユニット１０にある。【選択図】      図２
2006081370.tif 000002
【特許請求の範囲】
【請求項１】
配電盤に設けられた複数のテストターミナルの中で操作禁止対象となるテストターミナルの周囲を覆うように取り付けられて前記テストターミナルを保護する保護カバーと、前記保護カバーの内部に設置され且つその設置された状態で前記保護カバーと共に前記テストターミナルに取り付けられて前記テストターミナルの操作禁止を表示する操作禁止表示プレートとを有することを特徴とする操作禁止表示用ユニット。
【請求項２】
請求項１において、前記操作禁止表示プレートの少なくとも一方の面には、操作禁止を意味する文字が印刷されていることを特徴とする操作禁止表示用ユニット。
【請求項３】
請求項２において、前記操作禁止表示プレートの一方の面には、前記テストターミナルの操作の一時禁止を意味する文字が印刷され、他方の面には、前記テストターミナルの操作の常時禁止を意味する文字が印刷されていることを特徴とする操作禁止表示用ユニット。
【請求項４】
請求項１〜３の何れかにおいて、前記操作禁止表示プレートの両面の色が異なっていることを特徴とする操作禁止表示用ユニット。
【請求項５】
請求項１〜４の何れかにおいて、前記操作禁止表示プレートの少なくとも一方の面には、蛍光塗料が塗られていることを特徴とする操作禁止表示用ユニット。
【請求項６】
請求項１において、前記保護カバーの内部に設置された前記操作禁止表示プレートによる前記テストターミナルの操作禁止を表示した第１状態と、前記操作禁止表示プレートによる前記テストターミナルの操作禁止表示を隠した第２状態とが、前記保護カバーの鉛直方向への上下の反転動作によって切り替わるようになっていることを特徴とする操作禁止表示用ユニット。
【請求項７】
請求項６において、前記操作禁止表示プレートは、前記保護カバーに固定された固定プレートと、前記保護カバーの鉛直方向への上下の反転動作によって前記固定プレートに対向する領域と前記固定プレートの外側の領域との相互間を移動可能に設けられた移動プレートとからなることを特徴とする操作禁止表示用ユニット。
【請求項８】
請求項６又は７において、前記第１状態が前記テストターミナルの操作を一時禁止した状態であり、前記第２状態が前記テストターミナルの操作を常時禁止した状態であることを特徴とする操作禁止表示用ユニット。
【請求項９】
請求項８において、前記固定プレートの裏面側に配置される前記移動プレートの表面には、操作禁止を意味する文字が印刷されていることを特徴とする操作禁止表示用ユニット。
【請求項１０】
請求項８において、前記移動プレートの裏面側に配置される前記固定プレートの表面には、操作禁止を意味する文字が印刷されていることを特徴とする操作禁止表示用ユニット。
【請求項１１】
請求項８〜１０の何れかにおいて、前記固定プレート及び前記移動プレートの表面の色が異なっていることを特徴とする操作禁止表示用ユニット。
【請求項１２】
請求項８〜１１の何れかにおいて、前記固定プレート又は前記移動プレートの少なくとも一方の表面には、蛍光塗料が塗られていることを特徴とする操作禁止表示用ユニット。
【発明の詳細な説明】
【技術分野】
【０００１】
本発明は、例えば、発電所や変電所等に設置される配電盤等に設けられた複数のテストターミナルの中で操作禁止対象となるテストターミナルに取り付けられ、そのテストターミナルの操作禁止を表示するのに用いられる操作禁止表示用ユニットに関する。
【背景技術】
【０００２】
従来から、発電所や変電所等の電力施設には、送電系統の事故・故障の影響を可及的に低減するために、例えば、継電器等の各種保護設備が設けられている（例えば、特許文献１参照）。
【０００３】
図６には、継電器が収容された配電盤の要部拡大平面図を示す。図６（ａ）及び図６（ｂ）に示すように、継電器が収容された配電盤１００の前面パネル１００ａには、継電器の各種試験を実施するための複数のテストターミナル（試験用端子：Ｔｅｓｔ  Ｔｅｒｍｉｎａｌ）２００が設けられている。これら各テストターミナル２００は、継電器の各種試験を実施する場合を除いて、常時、短絡バー２１０がそれぞれ取り付けられ、更にその上から各テストターミナル２００を覆うように透明な保護カバー２２０がそれぞれ取り付けられた状態となっている（図６（ａ）参照）。一方、継電器の各種試験を実施する際には、試験に対応する各テストターミナル２００から短絡バー２１０が取り外され、更にその上から各テストターミナル２００を覆うように保護カバー２２０がそれぞれ取り付けられた状態となっている（図６（ｂ）参照）。
【０００４】
ここで、継電器の各種試験を実施している場合には、試験に対応するテストターミナル２００に誤って短絡バー２１０が取り付けられてしまうと、非常に危険である。したがって、継電器の各種試験を実施する際には、試験に対応するテストターミナル２００の操作を禁止した状態とし、この操作禁止状態を作業者に対して知らせる必要がある。
【０００５】
図７は、テストターミナルの操作を禁止した状態を示す概略図である。従来では、テストターミナルの操作を禁止した状態を作業者に対して知らせるために、例えば、図７（ａ）に示すように、操作禁止対象となる各テストターミナル２００のそれぞれに、「継電器ロック中」の札３００を取り付けていた。また、この他、図７（ｂ）に示すように、操作禁止対象となる各テストターミナル２００間の領域のそれぞれに、「継電器ロック中」の札４００を磁石によって配電盤１００の前面パネル１００ａに貼り付ける場合もあった。
【０００６】
このような従来の「継電器ロック中」の札は、比較的大きく嵩張るため取り扱いが面倒であり、多い時には数十個持ち歩いたりする場合もあるため、各テストターミナルへの取り付けや取り外しの作業が非常に煩雑であるという問題がある。
【０００７】
【特許文献１】特開平０５−３４４６３８号公報
【発明の開示】
【発明が解決しようとする課題】
【０００８】
本発明は、上述した事情に鑑み、テストターミナルの操作禁止表示を行う際の作業性を向上することができる操作禁止表示用ユニットを提供することを目的とする。
【課題を解決するための手段】
【０００９】
上記目的を達成する本発明の第１の態様は、配電盤に設けられた複数のテストターミナルの中で操作禁止対象となるテストターミナルの周囲を覆うように取り付けられて前記テストターミナルを保護する保護カバーと、前記保護カバーの内部に設置され且つその設置された状態で前記保護カバーと共に前記テストターミナルに取り付けられて前記テストターミナルの操作禁止を表示する操作禁止表示プレートとを有することを特徴とする操作禁止表示用ユニットにある。
【００１０】
かかる第１の態様では、テストターミナルの操作を禁止した状態を表示する際に、保護カバーの内部に操作禁止表示プレートを取り付け、この保護カバーを操作禁止表示プレートと共にテストターミナルに取り付けることにより、テストターミナルの操作禁止表示を行う際の作業性を向上することができる。
【００１１】
本発明の第２の態様は、第１の態様において、前記操作禁止表示プレートの少なくとも一方の面には、操作禁止を意味する文字が印刷されていることを特徴とする操作禁止表示用ユニットにある。
【００１２】
かかる第２の態様では、操作禁止表示プレートの表示内容が一目瞭然となって、より強調された操作禁止表示とすることができる。
【００１３】
本発明の第３の態様は、第２の態様において、前記操作禁止表示プレートの一方の面には、前記テストターミナルの操作の一時禁止を意味する文字が印刷され、他方の面には、前記テストターミナルの操作の常時禁止を意味する文字が印刷されていることを特徴とする操作禁止表示用ユニットにある。
【００１４】
かかる第３の態様では、操作禁止表示プレートの表裏を反転することにより、操作禁止表示プレートの表示内容、すなわち、テストターミナルの操作の一時禁止状態と常時禁止状態とを適宜変更することができる。
【００１５】
本発明の第４の態様は、第１〜３の何れかの態様において、前記操作禁止表示プレートの両面の色が異なっていることを特徴とする操作禁止表示用ユニットにある。
【００１６】
かかる第４の態様では、操作禁止表示プレートの表裏を反転させて、表裏の色を変えることにより、用途に合わせた操作禁止表示として利用することができる。
【００１７】
本発明の第５の態様は、第１〜４の何れかの態様において、前記操作禁止表示プレートの少なくとも一方の面には、蛍光塗料が塗られていることを特徴とする操作禁止表示用ユニットにある。
【００１８】
かかる第５の態様では、蛍光塗料によって操作禁止表示プレートを目立たせることができるため、より強調された操作禁止表示とすることができる。
【００１９】
本発明の第６の態様は、第１の態様において、前記保護カバーの内部に設置された前記操作禁止表示プレートによる前記テストターミナルの操作禁止を表示した第１状態と、前記操作禁止表示プレートによる前記テストターミナルの操作禁止表示を隠した第２状態とが、前記保護カバーの鉛直方向への上下の反転動作によって切り替えられるようになっていることを特徴とする操作禁止表示用ユニットにある。
【００２０】
かかる第６の態様では、保護カバーの反転動作により、操作禁止表示プレートによる第１状態と第２状態とを切り替えることで、これら第１状態と第２状態とを用途に合わせた操作禁止表示として利用することができる。
【００２１】
本発明の第７の態様は、第６の態様において、前記操作禁止表示プレートは、前記保護カバーに固定された固定プレートと、前記保護カバーの鉛直方向への上下の反転動作によって前記固定プレートに対向する領域と前記固定プレートの外側の領域との相互間を移動可能に設けられた移動プレートとからなることを特徴とする操作禁止表示用ユニットにある。
【００２２】
かかる第７の態様では、保護カバーの反転動作により、移動プレートが固定プレートの外側に露出した状態と、移動プレートが固定プレートに隠れた状態とが切り替えられるようになっているので、これら２つの状態を用途に合わせた操作禁止表示として利用することができる。
【００２３】
本発明の第８の態様は、第６又は７の態様において、前記第１状態が前記テストターミナルの操作を一時禁止した状態であり、前記第２状態が前記テストターミナルの操作を常時禁止した状態であることを特徴とする操作禁止表示用ユニットにある。
【００２４】
かかる第８の態様では、保護カバーの反転動作により、操作禁止表示プレートによるテストターミナルの操作の一時禁止状態と常時禁止状態とを適宜変更することができる。
【００２５】
本発明の第９の態様は、第８の態様において、前記固定プレートの裏面側に配置される前記移動プレートの表面には、操作禁止を意味する文字が印刷されていることを特徴とする操作禁止表示用ユニットにある。
【００２６】
かかる第９の態様では、移動プレートが固定プレートの外側に移動して、その移動プレートの表面が固定プレートの外側に露出した際に、操作禁止表示プレートの表示内容が一目瞭然となって、より強調された操作禁止表示とすることができる。
【００２７】
本発明の第１０の態様は、第８の態様において、前記移動プレートの裏面側に配置される前記固定プレートの表面には、操作禁止を意味する文字が印刷されていることを特徴とする操作禁止表示用ユニットにある。
【００２８】
かかる第１０の態様では、移動プレートが固定プレートの外側に移動して、その固定プレートの表面が露出した際に、操作禁止表示プレートの表示内容が一目瞭然となって、より強調された操作禁止表示とすることができる。
【００２９】
本発明の第１１の態様は、第８〜１０の何れかの態様において、前記固定プレート及び前記移動プレートの表面の色が異なっていることを特徴とする操作禁止表示用ユニットにある。
【００３０】
かかる第１１の態様では、保護カバーの反転動作により、固定プレートだけの状態と、移動プレートが固定プレートの外側に移動した状態とで、色の変化を付けることで、用途に合わせた操作禁止表示として利用することができる。
【００３１】
本発明の第１２の態様は、第８〜１１の何れかの態様において、前記固定プレート又は前記移動プレートの少なくとも一方の表面には、蛍光塗料が塗られていることを特徴とする操作禁止表示用ユニットにある。
【００３２】
かかる第１１の態様では、蛍光塗料によって固定プレート又は移動プレート、あるいは両方のプレートを目立たせることができるため、より強調された操作禁止表示とすることができる。
【発明の効果】
【００３３】
本発明の操作禁止表示用ユニットでは、テストターミナルの操作を禁止した状態を表示する際に、保護カバーの内部に操作禁止表示プレートを取り付け、この保護カバーを操作禁止表示プレートと共にテストターミナルに取り付けるようにしたので、テストターミナルの操作禁止表示を行う際の作業性を向上することができる。
【発明を実施するための最良の形態】
【００３４】
以下に本発明を実施形態に基づいて詳細に説明する。
【００３５】
（実施形態１）
図１は、本発明の実施形態１に係る操作禁止表示用ユニットの概略を示す斜視図である。また、図２は、図１の操作禁止表示用ユニットをテストターミナルに取り付けた状態を示す一部断面図である。図１及び図２に示すように、本実施形態の操作禁止表示用ユニット１０は、配電盤１の前面パネル１ａに設けられたテストターミナル２の周囲を覆うように取り付けられ且つそのテストターミナル２を保護する保護カバー２０と、この保護カバー２０の内部に設置されてテストターミナル２の操作禁止を表示する操作禁止表示プレート３０とで構成されている。
【００３６】
保護カバー２０は、例えば、本実施形態では、透明で且つ箱型（蓋型）形状を有し、底部２１と、この底部２１の周縁部に沿って立設された壁部２２とが一体的に形成されたものである。なお、この保護カバー２０を形成する材料としては、例えば、プラスチック、ガラス等の絶縁材料が挙げられ、本実施形態では、プラスチックとした。
【００３７】
一方、このような保護カバー２０の内部に設置される操作禁止表示プレート３０は、保護カバー２０の開口より若干小さい外形であり、一方の面（表面）３０ａには、操作禁止を意味する文字、例えば、本実施形態では、「作業中ロック中」の文字３１が印刷されている。そして、このような操作禁止表示プレート３０は、本実施形態では、保護カバー２０の開口からその底部２１に達するまで導入され、保護カバー２０の内部に設置されるようになっている。
【００３８】
そして、図２に示すように、テストターミナル２から短絡バーが取り外され、そのテストターミナル２に対して本実施形態の操作禁止表示ユニット１０が取り付けられた状態においては、操作禁止表示プレート３０が、テストターミナル２と保護カバー２０の底部２１及び壁部２２とで形成された内部空間に設置された状態となる。また、この操作禁止表示プレート３０は、本実施形態では、その表面３０ａが保護カバー２０の底部２１側に向けられた状態で、保護カバー２０の内部に設置される。このため、操作禁止表示プレート３０の表面３０ａは、保護カバー２０の底部２１を介して透過している。すなわち、操作禁止表示プレート３０の表面３０ａに印刷された「作業中ロック中」の文字３１は、保護カバー２０の底部２１を透過して目視できるようになっている。
【００３９】
このように、本実施形態の操作禁止表示用ユニット１０では、テストターミナル２の操作を禁止した状態を表示する際に、保護カバー２０の内部に操作禁止表示プレート３０を取り付け、この保護カバー２０を操作禁止表示プレート３０と共にテストターミナル２に取り付けるようにしたので、テストターミナルの操作禁止表示を行う際の作業性を向上することができる。
【００４０】
すなわち、従来技術で述べた「継電器ロック中」の札は、比較的大きく嵩張るため取り扱いが面倒であるのに対し、本実施形態の操作禁止表示用ユニット１０は、保護カバー２０の内部に操作禁止表示プレート３０を設置し、そのままテストターミナル２に取り付けるだけでよいので、テストターミナル２への取り付けや取り外し等の作業性を向上することができる。
【００４１】
（実施形態２）
図３は、本発明の実施形態２に係る操作禁止表示用ユニットを構成する操作禁止表示プレートを示す平面図である。上述した実施形態１では、「作業中ロック中」の文字３１が表面３０ａに印刷された操作禁止表示プレート３０を例示して説明したが、本実施形態では、図３に示すように、操作禁止表示プレート３０Ａの一方の面３０ａには、テストターミナルの操作の一時禁止を意味する文字（例えば、「作業中ロック中」の文字３１Ａ）が印刷され、他方の面３０ｂには、テストターミナルの操作の常時禁止を意味する文字（例えば、「常時ロック」の文字３１Ｂ）が印刷されている。
【００４２】
このような構成では、操作禁止表示プレート３０Ａを保護カバーに設置する際に、操作禁止表示プレート３０Ａの表裏を反転することにより、操作禁止表示プレート３０Ａによるテストターミナルの操作の一時禁止状態と常時禁止状態とを適宜変更することができる。
【００４３】
なお、従来では、テストターミナルの常時操作を禁止する場合には、操作禁止表示をしない場合があり、誤って短絡バーが取り付けられるという危険性があった。本実施形態では、上述したように、操作禁止表示プレート３０Ａの表裏を反転することで、テストターミナルを一時禁止した状態から常時禁止した状態に比較的容易に変更することができる。したがって、テストターミナルの誤操作、すなわち、誤って短絡バーが取り付けられることを確実に防止することができる。
【００４４】
（実施形態３）
図４は、本発明の実施形態３に係る操作禁止表示用ユニットを示す概略斜視図である。また、図５は、図４に示す操作禁止表示用ユニットの要部拡大断面図である。図４及び図５に示すように、本実施形態の操作禁止表示用ユニット１０Ｂは、中心線に対して上下が線対称な外形を有し、保護カバー２０Ｂの内部に設置された操作禁止表示プレート３０Ｂによるテストターミナルの操作禁止を表示した第１状態と、操作禁止表示プレート３０Ｂによるテストターミナルの操作禁止表示を隠した第２状態とが、保護カバー２０Ｂの鉛直方向の上下の反転動作によって切り替えられるようになっている。
【００４５】
具体的には、保護カバー２０Ｂは、底部２１の内側とは反対側の表面に、操作禁止表示プレートを保持する透明な保持ケース２３が固着されている。一方、操作禁止表示プレート３０Ｂは、保護カバー２０Ｂの保持ケース２３内に固定された固定プレート４０と、保護カバー２０Ｂの鉛直方向への反転動作によって鉛直方向の上下に移動可能に設けられた移動プレート５０とからなる。また、本実施形態では、固定プレート４０を保護カバー２０Ｂの底部２１側に配置し、この固定プレート４０の表面側に移動プレート５０を配置した。さらに、この固定プレート４０の表面４０ａには、テストターミナルの操作を禁止する意味の文字（例えば、「作業中ロック中」の文字４１）が印刷されている。
【００４６】
このような構成の操作禁止表示用ユニット１０Ｂでは、保護カバー２０Ｂを鉛直方向の上下に反転、すなわち、保護カバー２０Ｂの上下を逆さまにすることで、移動プレート５０が、固定プレート４０の表面４０ａに沿って、固定プレート４０の外側の領域と、固定プレート４０に対向する領域との相互間を移動自在となる。
【００４７】
そして、操作禁止表示用ユニット１０Ｂは、移動プレート５０が固定プレート４０の外側の領域に位置している第１状態（図４（ａ）及び図５（ａ）に示す状態）において、固定プレート４０の表面４０ａに印刷された「作業中ロック中」の文字４１が保持ケース２３を介して表示される。一方、移動プレート５０が固定プレート４１に対向する領域に位置している第２状態（図４（ｂ）及び図５（ｂ）に示す状態）では、固定プレート４０の表面４０ａに印刷された「作業中ロック中」の文字４１が隠された状態となる。
【００４８】
このように、本実施形態の操作禁止表示用ユニット１０Ｂでは、保護カバー２０Ｂの鉛直方向の上下の反転動作により操作禁止表示プレート３０Ｂの表示内容、すなわち、上述した第１状態と第２状態とが切り替わるようになっているので、これら第１状態と第２状態とを用途に合わせた操作禁止表示として利用することができる。例えば、本実施形態では、第１状態についてテストターミナルの操作を一時禁止した状態とし、第２状態についてテストターミナルの操作を常時禁止した状態とした。これにより、保護カバー２０Ｂの反転動作によって、操作禁止表示プレート３０Ｂによるテストターミナルの操作の一時禁止状態と常時禁止状態とを適宜変更することができる。
【００４９】
（他の実施形態）
以上、本発明を各実施形態１〜３に基づいて説明したが、本発明は、これら各実施形態１〜３に限定されるものではない。例えば、上述した実施形態１又は２では、操作禁止表示プレートにテストターミナルの操作禁止を意味する文字を印刷し、上述した実施形態３では、固定プレートにテストターミナルの操作禁止を意味する文字を印刷したが、勿論これらに限定されず、例えば、操作禁止表示プレートの両面の色を異なるようにしてもよいし、あるいは固定プレート及び移動プレートの色を異なるようにしてもよく、必要に応じて、これら各プレートに文字を印刷するようにしてもよい。
【００５０】
これにより、少なくとも色分けされた操作禁止表示プレートを用途に合わせた操作禁止表示として利用することができ、また、このような色分けされた操作禁止表示プレートに文字を印刷することで、操作禁止表示プレートの表示内容が一目瞭然となり、より強調された操作禁止表示とすることができる。
【００５１】
また、本発明では、操作禁止表示プレートに蛍光塗料を塗るようにしてもよい。これにより、蛍光塗料によって操作禁止表示プレートを目立たせることができるため、より強調された操作禁止表示とすることができる。
【００５２】
さらに、上述した各実施形態１〜３では、操作禁止表示プレートに文字を印刷するようにしたが、勿論これに限定されず、テストターミナルの操作禁止を意味するイラストを印刷してもよい。また、場合によっては、操作禁止表示プレートに社名等を印刷してもよい。これにより、異なる会社の作業者に対して、テストターミナルの操作を禁止する表示として利用することができる。
【図面の簡単な説明】
【００５３】
【図１】本発明の実施形態１に係る操作禁止表示用ユニットの概略を示す斜視図である。
【図２】本発明の実施形態１に係る操作禁止表示用ユニットをテストターミナルに取り付けた状態を示す一部断面図である。
【図３】本発明の実施形態２に係る操作禁止表示用ユニットを構成する操作禁止表示プレートを示す平面図である。
【図４】本発明の実施形態３に係る操作禁止表示用ユニットを示す概略平面図である。
【図５】本発明の実施形態３に係る操作禁止表示用ユニットの要部拡大断面図である。
【図６】従来技術に係る継電器を収容した配電盤の要部拡大平面図である。
【図７】従来技術に係るテストターミナルの操作を禁止した状態を示す概略図である。
【符号の説明】
【００５４】
１  配電盤
２  テストターミナル
３  前面パネル
１０  操作禁止表示用ユニット
２０  保護カバー
３０  操作禁止表示プレート
４０  固定プレート
５０  移動プレート
【図１】
2006081370.tif 000003
【図２】
2006081370.tif 000004
【図３】
2006081370.tif 000005
【図４】
2006081370.tif 000006
【図５】
2006081370.tif 000007
【図６】
2006081370.tif 000008
【図７】
2006081370.tif 000009